(57)【特許請求の範囲】
【請求項１】
（ア）還気取入口と外気取入口とインテリアゾーンに空気を吹き出すインテリア側吹出口とペリメータゾーンに空気を吹き出すペリメータ側吹出口を有するケーシングと、
（イ）前記ケーシング内に設けられ前記還気取入口に接続された還気通路と、
（ウ）前記ケーシング内に設けられ前記外気取入口に接続された外気通路と、
（エ）前記ケーシング内に設けられ前記インテリア側吹出口に接続されたインテリア送風路と、
（オ）前記ケーシング内に設けられインテリア側吹出口から空気を給気するためのインテリア側送風手段と、
（カ）前記ケーシング内に設けられ前記ペリメータ側吹出口と前記還気通路とを接続するペリメータ送風路と、
（キ）前記ケーシング内に設けられペリメータ側吹出口から空気を給気するためのペリメータ側送風手段と、
（ク）前記外気通路と前記インテリア送風路とを連通・遮断する外気・インテリア開閉手段と、
（ケ）前記還気通路と前記外気通路とを連通・遮断する還気・外気開閉手段と、
（コ）前記インテリア送風路と前記ペリメータ送風路とを連通・遮断するインテリア・ペリメータ開閉手段と、
（サ）前記外気通路内に設置され外気と熱媒の間で熱交換する空気・熱媒熱交換器と、
（シ）前記還気通路と前記ペリメータ送風路との間に設けられ、還気と、空気の顕熱負荷を処理することが可能な高温冷水もしくは低温温水の熱源水との間で熱交換する第１の空気・水熱交換器と、
（ス）前記空気・熱媒熱交換器と、前記熱源水と前記空気・熱媒熱交換器で熱交換された熱媒とを間接的に接触させて両者間で熱交換する水・熱媒熱交換器と、圧縮機と、熱媒流路切替手段とを閉ループに接続して構成される熱媒回路であって、前記熱媒流路切替手段によって、前記空気・熱媒熱交換器を蒸発器として機能させ前記水・熱媒熱交換器を凝縮器として機能させる第１の熱媒流路と、前記空気・熱媒熱交換器を凝縮器として機能させ前記水・熱媒熱交換器を蒸発器として機能させる第２の熱媒流路、に切り替えることができる熱媒回路と、を備え、
インテリアゾーンについては冷房を行い、ペリメータゾーンについては暖房を行う際、外気をインテリアゾーンに給気するだけでインテリアゾーンの冷房として十分な場合には、前記空気・熱媒熱交換器を停止することによって、温度調節されていない外気のみをインテリアゾーンに供給できるように構成され、外気をインテリアゾーンに給気するだけではインテリアゾーンの冷房として不足な場合には、該空気・熱媒熱交換器が外気と熱媒の間で熱交換を行うことによって、冷却された外気のみをインテリアゾーンに供給できるように構成されることを特徴とする、空調機。
【請求項２】
前記空気・熱媒熱交換器の上流に位置する前記外気通路内に設置され、外気と熱源水の間で熱交換する第２の空気・水熱交換器を備えることを特徴とする請求項１に記載の空調機。
【請求項３】
前記還気通路と前記インテリア送風路とを連通遮断する還気・インテリア開閉手段を備えることを特徴とする請求項１または２に記載の空調機。
【請求項４】
前記第１の空気・水熱交換器と前記熱媒回路における水・熱媒熱交換器に供給される熱源水は、熱源水の温度を可変制御することができる熱源設備から供給されることを特徴とする請求項１に記載の空調機。
【請求項５】
請求項３に記載の空調機を使用して、前記インテリアゾーンについては冷房を行い、前記ペリメータゾーンについては暖房を行う際、前記還気・インテリア開閉手段によって前記還気通路と前記インテリア送風路とを連通させ、該インテリアゾーンと該ペリメータゾーンの空気を調整する、空調の方法。
【請求項６】
前記インテリアゾーンと前記ペリメータゾーンの両方に同一温度の給気を行う際、前記還気・インテリア開閉手段によって前記還気通路と前記インテリア送風路とを遮断させ、該インテリアゾーンと該ペリメータゾーンの空気を調整する、請求項５に記載の空調の方法。
【発明の詳細な説明】
【０００１】
【発明の属する技術分野】
本発明は、２管式空調システムに適用可能で、冷暖房可能で、負荷の異なる空調系統にそれぞれ独立に給気可能で、より効果的な外気冷房効果を得ることができる空調機に関するものである。
【０００２】
【従来の技術】
近年、省エネルギー、省資源型の空調システムを開発するにあたり、単にエネルギーの消費量にとらわれるのではなく、エネルギーの有効利用にとってエネルギーの質が重要な問題とされている。そこで、最近では、エネルギーの質を考慮したエクセルギーの概念を取り入れた空調システムが提案されている。
【０００３】
かかるエクセルギーの概念を取り入れた空調システム及び空調機の一例が、特開平９−１０５５３９号公報に開示されている。この公報に開示された空調システム及び空調機には、以下のような利点がある。
【０００４】
（１）外部から供給する熱源が１系統で足りるため、メインの熱源水配管は往還と還管の２管式で済む。
（２）冷媒回路を備えており、この冷媒回路の空気・冷媒熱交換器を蒸発器として機能させるか凝縮器として機能させるかによって、冷房運転と暖房運転が可能である。
（３）ユニット内部の熱源である冷媒の温度を高めに保持することができ、冷凍機成績係数と冷凍能力を向上させることができる。
（４）上記（１）から（３）の結果、イニシャルコスト、ランニングコスト、及びエネルギー消費量の低減を図ることができる。
【０００５】
【発明が解決しようとする課題】
一般に、インテリジェント機能を持ったオフィスビルのような場合には、ペリメータゾーンは季節によって暖房負荷と冷房負荷に変化するのに対して、インテリアゾーンは１年を通して冷房負荷が多く、したがって、ゾーン毎の空調が望ましい。
【０００６】
しかしながら、前記公報に記載の空調機の場合には、１つの空調空間に対して空調空気の吹出口が１つであるため、１つの空調空間を複数の空調ゾーンに分けて（例えば、ペリメータゾーンとインテリアゾーン）、それぞれ独立に空調された空気をそれぞれのゾーンに給気することはできなかった。
【０００７】
また、外気負荷処理用空調機と室内負荷処理用空調機をそれぞれ別個に設置し、それらをダクト等によって接続しているので、ダクトの施工が煩雑で、コスト高となる。さらに、積極的な外気冷房機能を有しておらず、外気冷房効果はあまり望めなかった。
【０００８】
尚、関連する技術として、特公平７−９９２６８号公報には、ペリメータゾーン用空調機とインテリアゾーン用空調機を１つのケーシング内に設置し、それぞれの空調機に対応して吹出口を設け、各空調機の熱交換コイルの下流であって吹出口の上流に連通ダンパを開閉可能に設置した一体型の空調機が開示されている。
【０００９】
しかしながら、この空調機は、ペリメータゾーン用空調機のための熱源と、インテリアゾーン用空調機のための熱源が別々であり、熱源を２系統必要とし、メインの熱媒配管には往還と還管の組合せを２組必要とする４管方式であった。また、外気だけを独立に空調処理するシステムにはなっておらず、外気と室内空気の混合空気が、ペリメータゾーン用空調機あるいはインテリアゾーン用空調機で空調処理されるようになっている。そのため、効果的あるいは効率的な外気冷房は望めない。さらに、外気負荷を段階的に処理するようになっておらず、エクセルギーの概念を取り入れた空調機とは言えない。
【００１０】
また、特開平６−２１３４７８号公報には、熱源が１系統で足りる２管方式を採用し、２つの空調機を１つのケーシング内に設置し、それぞれの空調機に対応して吹出口を設け、両吹出口の上流に連通ダンパを開閉可能に設置し、一方の空調機は冷温水コイルを備え、他方の空調機は冷凍サイクルを備え、さらに排気される室内空気の排熱を利用して冷媒を蒸発させる冷媒蒸発コイルを補助冷房装置として備える一体型の空調機が開示されている。
【００１１】
しかしながら、この空調機は、外気だけを独立に空調処理するシステムにはなっておらず、外気と室内空気の混合空気を、それぞれの空調機で空調処理するようになっている。そのため、効果的あるいは効率的な外気冷房は望めない。さらに、外気負荷を段階的に処理するようになっておらず、エクセルギーの概念を取り入れた空調機とは言えない。また、補助冷房装置の熱源が空気であり、補助冷房効率が低い。
【００１２】
本発明はこのような従来の技術の問題点に鑑みてなされたものであり、負荷の異なる空調空間にそれぞれ独立に給気可能にするとともに、効率的な外気冷房を可能とし、低コスト、省エネルギーに優れた空調機を提供することを目的とする。
【００１３】
【課題を解決するための手段】
本発明は前記課題を解決するために、以下の手段を採用した。
本発明に係る空調機は、
（ア）還気取入口と外気取入口とインテリア側吹出口とペリメータ側吹出口を有するケーシングと、
（イ）前記ケーシング内に設けられ前記還気取入口に接続された還気通路と、
（ウ）前記ケーシング内に設けられ前記外気取入口に接続された外気通路と、
（エ）前記ケーシング内に設けられ前記インテリア側吹出口に接続されたインテリア送風路と、
（オ）前記ケーシング内に設けられインテリア側吹出口から空気を給気するためのインテリア側送風手段と、
（カ）前記ケーシング内に設けられ前記ペリメータ側吹出口と前記還気通路とを接続するペリメータ送風路と、
（キ）前記ケーシング内に設けられペリメータ側吹出口から空気を給気するためのペリメータ側送風手段と、
（ク）前記外気通路と前記インテリア送風路とを連通・遮断する外気・インテリア開閉手段と、
（ケ）前記還気通路と前記外気通路とを連通・遮断する還気・外気開閉手段と、
（コ）前記インテリア送風路と前記ペリメータ送風路とを連通・遮断するインテリア・ペリメータ開閉手段と、
（サ）前記外気通路内に設置され外気と熱媒の間で熱交換する空気・熱媒熱交換器と、
（シ）前記還気通路と前記ペリメータ送風路との間に設けられ還気と熱源水の間で熱交換する第１の空気・水熱交換器と、
（ス）前記空気・熱媒熱交換器と、熱源水と熱媒の間で熱交換する水・熱媒熱交換器と、圧縮機と、熱媒流路切替手段とを閉ループに接続して構成される熱媒回路であって、前記熱媒流路切替手段によって、前記空気・熱媒熱交換器を蒸発器として機能させ前記水・熱媒熱交換器を凝縮器として機能させる第１の熱媒流路と、前記空気・熱媒熱交換器を凝縮器として機能させ前記水・熱媒熱交換器を蒸発器として機能させる第２の熱媒流路、に切り替えることができる熱媒回路と、
を備えることを特徴とする。
【００１４】
この空調機では、外気と還気を混合する前に、外気だけを空気・熱媒熱交換器によって温度調節することができる。
また、外気・インテリア開閉手段、還気・外気開閉手段、インテリア・ペリメータ開閉手段の各開閉手段の開閉状態を適宜に組み合わせることにより、ペリメータゾーンとインテリアゾーンの両ゾーンを同時に暖房したり、両ゾーンを同時に冷房したり、一方のゾーンについては冷房を行い他方のゾーンについては暖房を行ったり、両ゾーンを同一温度の給気で冷房あるいは暖房したり、ゾーン毎に異なる温度の給気を行って冷房あるいは暖房したりすることができ、種々の空調要求に応じた運転状態を実施することができる。
【００１５】
また、外気冷房効果が大きく、省エネルギーを図ることができ、ランニングコストを低減することができる。
外部から空調機に供給すべき熱源は、電気を除けば熱源水だけであるので、配管系統としては熱源水の往管と還管の２管式で済み、設備コストが安い。
【００１６】
尚、前記還気・外気開閉手段により前記還気通路と外気通路とを連通させている時には前記還気通路に外気が混入することとなるので、前記第１の空気・水熱交換器は、還気及び外気と熱源水の間で熱交換することとなる。
【００１７】
また、前記熱媒回路において熱媒流路切替手段によって切り替える熱媒流路は、実質的な熱媒の流れ方向をいうものとする。
【００１８】
本発明に係る空調機においては、前記空気・熱媒熱交換器の上流に位置する前記外気通路内に、外気と熱源水の間で熱交換する第２の空気・水熱交換器を設置することも可能である。このようにすると、外気を段階的に処理することができるとともに、前記空気・熱媒熱交換器の容量を小さくすることができる。さらに、外気負荷の大きさに応じて、空気・熱媒熱交換器と第２の空気・水熱交換器のいずれか一方の稼働を停止して処理することができるので、ランニングコストの低減と省エネルギーを図ることができる。ただし、この第２の空気・水熱交換器を備えなくても本発明は成立する。
【００１９】
本発明に係る空調機においては、前記還気通路と前記インテリア送風路とを連通遮断する還気・インテリア開閉手段を備えることが可能である。このようにすると、インテリアゾーンへの循環空気量を確保することができる。ただし、この還気・インテリア開閉手段を備えなくても本発明は成立する。
【００２０】
本発明に係る空調機においては、前記第１の空気・水熱交換器と前記熱媒回路における水・熱媒熱交換器に供給される熱源水を、熱源水の温度を可変制御することができる熱源設備から供給することができる。この熱源設備は、空調対象となる空調空間を有する建物内（建物の地下を含む）に設置された設備であってもよいし、地域冷暖房用に前記建物外に設置された設備であってもよい。
【００２１】
【発明の実施の形態】
以下、本発明に係る空調機の一実施の形態を図１から図７の図面に基いて説明する。
【００２２】
この空調機１００はいわゆるパッケージ型と称されるものであり、矩形箱形のケーシング１の内部に、送風機・熱交換器・エアフィルタ・冷凍サイクル等を内蔵して構成されている。
【００２３】
詳述すると、図１に示すように、空調機１００のケーシング１はその正面側に、還気取入口２と、外気取入口３と、インテリア側吹出口４と、ペリメータ側吹出口５を備えている。また、ケーシング１は、その内部を隔壁６によって４つの通路に区画されている。この４つの通路とは、還気取入口２に連なる還気通路７と、外気取入口３に連なる外気通路８と、インテリア側吹出口４に連なるインテリア送風路９と、ペリメータ側吹出口５に連なるペリメータ送風路１０である。
【００２４】
還気通路７は、外気通路８とインテリア送風路９とペリメータ送風路１０に隣接しており、外気通路８は、還気通路７とインテリア送風路９に隣接しており、インテリア送風路９は、還気通路７と外気通路８とペリメータ送風路１０に隣接しており、ペリメータ送風路１０は、還気通路７とインテリア送風路９に隣接している。
【００２５】
還気通路７には、還気取入口２の近傍にフィルタ１１が設けられ、フィルタ１１の下流に、室内空気を還気取入口２から還気通路７に導入するための送風機１２が設けられている。
【００２６】
ペリメータ送風路１０には、ペリメータ側吹出口５の近傍に、ペリメータ送風路１０内の空気をペリメータ側吹出口５からペリメータゾーンに吹き出すためのペリメータ側送風機（ペリメータ側送風手段）１８が設けられている。
【００２７】
還気通路７とペリメータ送風路１０は、隔壁６に設けられた開口によって連通しており、この開口には第１熱交換器（第１の空気・水熱交換器）１４が設置されている。
【００２８】
外気通路８には、外気取入口３の近傍にフィルタ１３が設けられ、フィルタ１３の下流に、第２熱交換器（第２の空気・水熱交換器）１５と第３熱交換器（空気・熱媒熱交換器）１９が外気の流れる方向に対して直列に配置され、さらに第３熱交換器１９の下流に、外気を外気取入口３から外気通路８に導入するための送風機１６が設けられている。
熱交換器１４，１５，１９については後で詳述する。
【００２９】
インテリア送風路９には、インテリア側吹出口４の近傍に、インテリア送風路９内の空気をインテリア側吹出口４からインテリアゾーンに吹き出すためのインテリア側送風機（インテリア側送風手段）１７が設けられている。
【００３０】
送風機１２よりも下流に位置する還気通路７と、送風機１６よりも下流に位置する外気通路８は、開口６ａによって連通可能になっており、この開口６ａは第１ダンパ２０によって開閉される。また、送風機１６の下流に位置する外気通路８と、インテリア側送風機１７よりも上流に位置するインテリア送風路９は、開口６ｂによって連通可能になっており、この開口６ｂも前記第１ダンパ２０によって開閉される。つまり、この実施の形態では、第１ダンパ２０は、外気・インテリア開閉手段と還気・外気開閉手段の両手段を兼ねている。ただし、開口６ａと開口６ｂの夫々に別々のダンパを設置して、それぞれ個別に開閉するようにしても構わない。
【００３１】
この第１ダンパ２０は、開口６ｂを閉じ開口６ａを開くように位置して、外気通路８をインテリア送風路９から遮断するとともに還気通路７に連通させるか、あるいは、開口６ａを閉じ開口６ｂを開くように位置して、外気通路８をインテリア送風路９に連通するとともに還気通路７から遮断するか、いずれか一方の位置で停止するようになっており、この空調機１００においては、第１ダンパ２０が２つの開口６ａ，６ｂの両方を開くような位置に停止することはない。即ち、第１ダンパ２０は、外気通路８をインテリア送風路９と還気通路７の両方に連通させる位置で停止することはない。
【００３２】
また、送風機１２よりも下流に位置する還気通路７と、インテリア側送風機１７よりも上流に位置するインテリア送風路９は、開口６ｃによって連通可能になっており、この開口６ｃは第２ダンパ（還気・インテリア開閉手段）２１によって開閉される。
【００３３】
さらに、インテリア側送風機１７よりも上流に位置するインテリア送風路９と、ペリメータ側送風機１８よりも上流に位置するペリメータ送風路１０は、開口６ｄによって連通可能になっており、この開口６ｄは第３ダンパ（インテリア・ペリメータ開閉手段）２２によって開閉される。
【００３４】
第１熱交換器１４と第２熱交換器１５はコイル式の空気・水熱交換器であり、コイルに熱源水を通水して、コイルの周囲を通る空気と熱交換を行い、空気を加温あるいは冷却するものである。この実施の形態における空調システムでは、図５に示すように、建物の地下に設けた中央熱源設備１０１の蓄熱槽１０２に貯留されている冷水あるいは温水を熱源水として用いている。この中央熱源設備１０１は季節に応じて熱源水の設定温度を変更して制御することができるようになっており、設定温度に調節した冷水あるいは温水を蓄熱槽１０２に貯留するようになっている。
【００３５】
そして、蓄熱槽１０２の熱源水は循環ポンプ１０３でポンプアップされ、熱源水往管１０４を通り第１熱交換器１４、第２熱交換器１５に供給されるようになっている。第１熱交換器１４、第２熱交換器１５のコイルを通り空気との熱交換を終えた熱源水は、流量制御弁２５，２６を介して熱源水還管１０５に流れ、蓄熱槽１０２に戻るようになっている。尚、流量制御弁２５，２６は、熱交換器１４，１５に対する負荷に応じて最適量の熱源水が供給されるように制御される。
【００３６】
一方、第３熱交換器１９はコイル式の空気・熱媒熱交換器であり、コイルに冷媒を通して、コイルの周囲を通る空気と熱交換を行い、空気を加温あるいは冷却するものである。この第３熱交換器１９は、圧縮機３０と冷媒流路切替弁（熱媒流路切替手段）３１と第４熱交換器（水・熱媒熱交換器）３２と膨張弁３３とこれらを接続する冷媒管３４とともに、閉ループの冷媒回路（熱媒回路）３５を構成する。第４熱交換器３２は、熱源水と冷媒とを間接的に接触させて両者間で熱交換を行う水・冷媒熱交換器であり、この第４熱交換器３２には熱源水往管１０４から熱源水が供給可能であり、第４熱交換器３２で熱交換した後の熱源水は流量制御弁２８を通り、熱源水還管１０５を介して蓄熱槽１０２に戻る。
【００３７】
尚、熱源水往管１０４と、第１熱交換器１４、第２熱交換器１５、第４熱交換器３２の間には手動開閉弁２３、２４、２７が設置されており、これら手動開閉弁２、２４、２７は、保守時の止水や、試運転調整時の大まかな流量調整に用いられ、平常時は同一開度に保持される。
【００３８】
冷媒の流路は、冷媒流路切替弁３１を切り替え操作することによって２つの流路からいずれか一方の流路を選択することができるようになっている。
その第１の流路は、図１あるいは図２に示すように、圧縮機３０→冷媒流路切替弁３１→第４熱交換器３２→膨張弁３３→第３熱交換器１９→冷媒流路切替弁３１→圧縮機３０という順に冷媒が流れる流路であり、第３熱交換器１９を蒸発器として用い、第４熱交換器３２を凝縮器として用いるときの流路である。以下、この第１の流路にするときの冷媒流路切替弁３１の弁位置を冷房モードという。
【００３９】
第２の流路は、図３あるいは図４に示すように、圧縮機３０→冷媒流路切替弁３１→第３熱交換器１９→膨張弁３３→第４熱交換器３２→冷媒流路切替弁３１→圧縮機３０という順に冷媒が流れる流路であり、第３熱交換器１９を凝縮器として用い、第４熱交換器３２を蒸発器として用いるときの流路である。以下、この第２の流路にするときの冷媒流路切替弁３１の弁位置を暖房モードという。
【００４０】
上述構成の空調機１００は、建物の各階の各部屋に、その部屋の空調空間の大きさに応じて、単数あるいは複数設置される。
図６は、一つの部屋に複数の空調機１００を設置する場合の一例を示す平面図である。この図において、符号２０１は建物の柱、符号２０２は建物の外壁、符号２０３は窓、符号２０４ａ，２０４ｂは建物の内壁、符号２０５は廊下であり、外壁２０２よりも図において上方が屋外となっている。空調機１００は、廊下２０５において互いに隣接する柱２０１，２０１の間に１つずつ床上に設置されている。廊下２０５の天井裏には、外気を建物内に導入する外気導入ダクト１１０が配設されており、この外気導入ダクト１１０から分岐した枝ダクト１１１が各空調機１００の外気取入口３に接続されていて、外気を各空調機１００に導入することができるようになっている。
【００４１】
各空調機１００の還気取入口２には還気取入ダクト１２０が接続されている。この還気取入ダクト１２０は、廊下２０５の天井裏から部屋２００の天井裏に延び制気口ボックス（図示せず）に連結されており、この制気口ボックスは、部屋２００の天井に開口する還気吸込口１２１に連結されている。そして、空調機１００の送風機１２を運転することにより、部屋２００の室内空気は、還気吸込口１２１から還気取入ダクト１２０を介して還気取入口２に吸い込まれ、空調機１００に導入されようになっている。
【００４２】
各空調機１００のインテリア側吹出口４にはインテリア送風ダクト１３０が接続されている。このインテリア送風ダクト１３０は、廊下２０５の天井裏を通って部屋２００の天井裏に延び、インテリア側の天井において部屋２００に開口する一対のインテリア吹出口１３１に接続されていて、空調機１００で空調された空気がインテリア送風ダクト１３０を介して部屋２００のインテリアゾーンに送風されるようになっている。
【００４３】
各空調機１００のペリメータ側吹出口５にはペリメータ送風ダクト１４０が接続されている。このペリメータ送風ダクト１４０は、廊下２０５の天井裏を通って部屋２００の天井裏に延び、窓２０３の近傍に位置する天井において部屋２００に開口するペリメータ吹出口１４１に接続されていて、空調機１００で空調された空気がペリメータ送風ダクト１４０を介して部屋２００のペリメータゾーンに送風されるようになっている。
【００４４】
次に、この空調機１００の作用について説明する。
この空調機１００では、図７に示すように、少なくとも（ｉ）〜（ｖｉｉ）の７つの運転状態による運転が可能である。
【００４５】
初めに、図７の表の見方を説明しておく。「熱源水」の欄の「冷水」と「温水」の意味は次のとおりである。中央熱源設備１０１は、一般に、一年を夏季（例えば４月から１０月）と冬季（例えば１１月から３月）の２つの期間に分け、蓄熱槽１０２に貯留する熱源水の設定温度を各期間に応じ変更して運転される。夏季は冷房要求が多いために熱源水は低い設定温度に制御されるので、熱源水は「冷水」となる。一方、冬季は暖房要求が多いため熱源水は高い設定温度に制御されるので、熱源水は「温水」となる。
【００４６】
尚、ここでいう「冷水」とは「高温冷水」のことであり、「高温冷水」とは、顕熱負荷と潜熱負荷の双方を処理する従来の空調システムにおいて熱源として要求される冷水温度よりも相対的に高温の冷水を意味し、顕熱負荷が処理できれば十分な温度の冷水をいう。また、ここでいう「温水」とは「低温温水」のことであり、「低温温水」とは、顕熱負荷と潜熱負荷の双方を処理する従来の空調システムにおいて熱源として要求される温水温度よりも相対的に低温の温水を意味する。
【００４７】
「第３熱交換器」の欄に記載されている「稼働ｏｒ停止」の意味は、稼働するか停止するかは、その時の外気負荷の状況によって決定され、必ず稼働されるわけでもないし、必ず停止させるわけでもないということである。
【００４８】
「第１ダンパ」の欄の「還気通路側を開」と「インテリア送風路側を開」の意味は次のとおりである。「還気通路側を開」とは、図１あるいは図３に示すように、外気通路８を還気通路７に連通するとともにインテリア送風路９から遮断するように、第１ダンパ２０を位置せしめることをいう。「インテリア送風路側を開」とは、図２あるいは図４に示すように、外気通路８をインテリア送風路９に連通するとともに還気通路７から遮断するように、第１ダンパ２０を位置せしめることをいう。
【００４９】
「冷媒流路切替弁」の欄の「冷房モード」と「暖房モード」については前述したとおりである。即ち、「冷房モード」とは、冷媒の流路を前記第１の流路となるように冷媒流路切替弁３１をセットして、第３熱交換器１９を蒸発器として用い、第４熱交換器３２を凝縮器として用いるようにすることである。「暖房モード」とは、冷媒の流路を前記第２の流路となるように冷媒流路切替弁３１をセットして、第３熱交換器１９を凝縮器として用い、第４熱交換器３２を蒸発器として用いるようにすることである。
【００５０】
尚、４つの送風機１２，１６，１７，１８はいずれの運転状態においても運転されるものとする。
以下、（i）から（vii）の運転状態に場合分けして説明する。
【００５１】
（i）第１の運転状態
第１の運転状態は、中央熱源設備１０１の蓄熱槽１０２に貯留されている熱源水が冷水であって、インテリアゾーンとペリメータゾーンの両方を同一温度の給気で冷房する場合であり、インテリジェントビルの場合には、夏季において使われることの多い運転状態である。
【００５２】
第１の運転状態の時には、３つのダンパ２０，２１，２２の開閉状態は図１に示すようになり、また、冷媒流路切替弁３１は図１に示すように冷房モードであり、さらに、第１熱交換器１４と第２熱交換器１５と第４熱交換器３２には熱源水として冷水が供給される。
【００５３】
また、第３熱交換器１９は外気負荷の大きさに応じて稼働するか否か決定される。尚、第３熱交換器１９の稼働は、圧縮機３０を運転して冷媒回路３５に冷媒を流すとともに、流量制御弁２８を開弁して第４熱交換器３２に熱源水を供給することにより実行される。一方、第３熱交換器１９の停止は、圧縮機３０を停止するとともに流量制御弁２８を全閉にすることにより実行される。以後の説明においても、第３熱交換器１９の稼働・停止は同様の操作により実行されるものとする。
【００５４】
部屋２００の室内空気は、還気として還気取入口２から吸い込まれ、その際にフィルタ１１で浄化されて還気通路７内に導入される。一方、外気は、外気取入口３から吸い込まれ、その際にフィルタ１３で浄化されて外気通路８に導入される。外気通路８に導入された外気は、第２熱交換器１５を通過する際に第２熱交換器１５のコイルを流れる冷水によって冷却される。尚、流量制御弁２６は外気負荷の大きさに応じて開度制御され、第２熱交換器１５に供給する冷水流量を制御する。
【００５５】
外気負荷が小さい場合には、第２熱交換器１５による冷却だけで十分であるので、その場合には第３熱交換器１９を停止する。
外気負荷が大きくて第２熱交換器１５による冷却だけでは足りない場合には、第３熱交換器１９を稼働する。圧縮機３０から第４熱交換器３２に供給された冷媒は、凝縮器として機能する第４熱交換器３２において冷却されて液化し、液化した冷媒は蒸発器として機能する第３熱交換器１９において外気と熱交換して気化し、その際に外気を冷却する。したがって、第１の運転状態において第３熱交換器１９を稼働する場合には、第２熱交換器１５の機能は外気を予冷することにあるということができる。そして、第２熱交換器１５は顕熱を処理し、第３熱交換器１９は冷却除湿による潜熱処理を行う。尚、流量制御弁２８は外気負荷の大きさに応じて開度制御され、第４熱交換器３２に供給する冷水流量を制御する。
【００５６】
外気負荷を処理された外気は、開口６ａを介して還気通路７内に流入し還気と合流する。外気と還気の混合空気は第１熱交換器１４を通過してペリメータ送風路１０に導入される。前記混合空気は、第１熱交換器１４を通過する際に第１熱交換器１４のコイルを流れる冷水によって設定温度に冷却される。尚、流量制御弁２５は熱負荷の大きさに応じて開度制御され、第１熱交換器１４に供給する冷水流量を制御する。
【００５７】
設定温度に調節された混合空気の一部は、ペリメータ送風路１０を通ってペリメータ側吹出口５からペリメータ送風ダクト１４０に吹き出され、ペリメータ吹出口１４１から部屋２００のペリメータゾーンに給気されて、ペリメータゾーンを冷房する。設定温度に調節された残りの混合空気は、ペリメータ送風路１０から開口６ｄを介してインテリア送風路９に流入し、インテリア側吹出口４からインテリア送風ダクト１３０に吹き出され、インテリア吹出口１３１から部屋２００のインテリアゾーンに給気されて、インテリアゾーンを冷房する。
【００５８】
つまり、この第１の運転状態では、同一温度に制御された同質の空調空気をインテリアゾーンとペリメータゾーンに給気し、両ゾーンを冷房することになる。尚、インテリアゾーンとペリメータゾーンへの給気量の制御は、インテリア側送風機１７とペリメータ側送風機１８の送風量調節により可能である。
【００５９】
アメニティの観点からは冷却除湿運転が好ましいとされているが、この空調機１００における第１の運転状態においては、除湿運転の機会を盛夏等の高温多湿時に止め、省エネルギを追求している。
【００６０】
（ii）第２の運転状態
第２の運転状態は、中央熱源設備１０１の蓄熱槽１０２に貯留されている熱源水が温水であって、インテリアゾーンとペリメータゾーンの両方を同一温度の給気で冷房する場合であり、例えば中央熱源設備１０１を夏季運転から冬季運転に切り替えて未だ日が浅く、陽気が暖かい日などに行われる運転状態であり、運転日数としては１年を通して少ないと予想される。
【００６１】
第２の運転状態の時には、３つのダンパ２０，２１，２２の開閉状態は前記第１の運転状態と同じで図１に示すようになり、また、冷媒流路切替弁３１も第１の運転状態と同じ冷房モードである。
【００６２】
第２の運転状態が第１の運転状態と相違する点は、第２の運転状態では、第１熱交換器１４と第２熱交換器１５には熱源水の供給が停止され、第４熱交換器３２には熱源水として温水が供給される点と、第３熱交換器１９が常時稼働される点である。
【００６３】
尚、第１熱交換器１４への熱源水の供給停止は、流量制御弁２５を全閉にすることにより実行され、第２熱交換器１５への熱源水の供給停止は、流量制御弁２６を全閉にすることにより実行される。以後の説明においても、第１熱交換器１４への熱源水の供給停止、及び、第２熱交換器１５への熱源水の供給停止は、同様の操作により実行されるものとする。
【００６４】
第２の運転状態においては、部屋２００の室内空気は、還気として還気取入口２から吸い込まれ、その際にフィルタ１１で浄化されて還気通路７内に導入される。一方、外気は、外気取入口３から吸い込まれ、その際にフィルタ１３で浄化されて外気通路８に導入される。外気通路８に導入された外気は第２熱交換器１５を通過するが、第２熱交換器１５には熱源水が供給されていないので、外気は熱交換することなく素通りする。
【００６５】
第２熱交換器１５を素通りした外気は第３熱交換器１９を通過し、その際に冷却される。即ち、部屋２００に冷房要求があるぐらいであるから外気は少々暑く、この外気は第３熱交換器１９を流れる冷媒と熱交換して冷却される。つまり、蒸発器として機能する第３熱交換器１９において冷媒は外気と熱交換して気化し、外気を冷却する。そして、気化した冷媒は圧縮機３０に戻され、さらに凝縮器として機能する第４熱交換器３２に供給され、ここで温水により冷却されて液化し、液化した冷媒が第３熱交換器１９に供給される。ここで、第４熱交換器３２において温水で冷媒を冷却し液化できるのは、温水は４０〜４５゜Ｃ程度であり、冷却水として十分に使用可能だからである。尚、流量制御弁２８は外気負荷の大きさに応じて開度制御され、第４熱交換器３２に供給する温水流量を制御する。
【００６６】
外気負荷を処理された外気は、開口６ａを介して還気通路７内に流入し還気と合流する。外気と還気の混合空気は第１熱交換器１４を通過してペリメータ送風路１０に導入されるが、第１熱交換器１４には熱源水が供給されていないので、外気は熱交換することなく第１熱交換器１４を素通りする。
【００６７】
前記混合空気の一部は、ペリメータ送風路１０を通ってペリメータ側吹出口５からペリメータ送風ダクト１４０に吹き出され、ペリメータ吹出口１４１から部屋２００のペリメータゾーンに給気されて、ペリメータゾーンを冷房する。残りの混合空気は、ペリメータ送風路１０から開口６ｄを介してインテリア送風路９に流入し、インテリア側吹出口４からインテリア送風ダクト１３０に吹き出され、インテリア吹出口１３１から部屋２００のインテリアゾーンに給気されて、インテリアゾーンを冷房する。
【００６８】
つまり、この第２の運転状態においては、還気については温度調節されず、外気だけが温度調節され、これらを混合して得られる同一温度に制御された同質の空調空気をインテリアゾーンとペリメータゾーンに給気し、両ゾーンを冷房することになる。尚、インテリアゾーンとペリメータゾーンへの給気量の制御は、インテリア側送風機１７とペリメータ側送風機１８の送風量調節により可能である。
【００６９】
（iii）第３の運転状態
第３の運転状態は、中央熱源設備１０１の蓄熱槽１０２に貯留されている熱源水が温水であって、インテリアゾーンについては冷房を行い、ペリメータゾーンについては暖房を行う場合であり、インテリジェントビルの場合には冬季において使われることの多い運転状態である。
【００７０】
第３の運転状態の時には、３つのダンパ２０，２１，２２の開閉状態は図２に示すようになり、また、冷媒流路切替弁３１は図２に示すように冷房モードであり、さらに、第１熱交換器１４と第４熱交換器３２には熱源水として温水が供給され、第２熱交換器１５には熱源水が供給されず、第３熱交換器１９は外気負荷の大きさに応じて稼働または停止される。
【００７１】
部屋２００の室内空気は、還気として還気取入口２から吸い込まれ、その際にフィルタ１１で浄化されて還気通路７内に導入される。一方、外気は、外気取入口３から吸い込まれ、その際にフィルタ１３で浄化されて外気通路８に導入される。外気通路８に導入された外気は第２熱交換器１５を通過するが、第２熱交換器１５には熱源水が供給されていないので、外気は熱交換することなく素通りする。
【００７２】
外気負荷が小さい場合には、外気をインテリアゾーンに給気するだけでインテリアゾーンの冷房が可能であるので、その場合には第３熱交換器１９を停止する。
【００７３】
室内負荷が大きくて、外気をインテリアゾーンに給気するだけではインテリアゾーンの冷房として不足な場合には、第３熱交換器１９を稼働し、第２熱交換器１５を素通りした外気を第３熱交換器１９で冷却する。つまり、蒸発器として機能する第３熱交換器１９において冷媒は外気と熱交換して気化し、外気を冷却する。そして、気化した冷媒は圧縮機３０に戻され、さらに凝縮器として機能する第４熱交換器３２に供給され、ここで温水により冷却されて液化し、液化した冷媒が第３熱交換器１９に供給される。尚、流量制御弁２８は外気負荷の大きさに応じて開度制御され、第４熱交換器３２に供給する温水流量を制御する。
【００７４】
第３熱交換器１９を通過した外気は開口６ｂを介してインテリア送風路９に導入される。また、還気通路７内の還気の一部は開口６ｃを通ってインテリア送風路９に流入し、前述の如く冷却された外気と合流し混合される。そして、この混合空気は、インテリア側吹出口４からインテリア送風ダクト１３０に吹き出され、インテリア吹出口１３１から部屋２００のインテリアゾーンに給気されて、インテリアゾーンを冷房する。インテリアゾーンに吸給気される混合空気の温度は、第３熱交換器１９による外気に対する冷却の程度と、還気の温度と、外気と還気の混合比によって決定され、混合比の制御は、２つの送風機１７，１８の送風量調節によって実行される。尚、還気を外気に混合する理由は、インテリアゾーンの循環空気量を維持するためである。
【００７５】
そして、還気通路７内の残りの還気は、第１熱交換器１４を通過してペリメータ送風路１０に導入される。そして、還気は、第１熱交換器１４を通過する際に第１熱交換器１４のコイルを流れる温水によって設定温度に加温される。尚、流量制御弁２５は熱負荷の大きさに応じて開度制御され、第１熱交換器１４に供給する温水流量を制御する。
【００７６】
設定温度に加温された還気は、ペリメータ送風路１０を通ってペリメータ側吹出口５からペリメータ送風ダクト１４０に吹き出され、ペリメータ吹出口１４１から部屋２００のペリメータゾーンに給気されて、ペリメータゾーンを暖房する。
【００７７】
このように第３の運転状態にすると、部屋２００のペリメータゾーンについては暖房を行い、インテリアゾーンについては冷房を行うことができる。しかも、外気を冷房負荷の発生しているインテリアゾーンにのみ供給しているので、外気冷房効果が大きく、省エネルギーになる。
【００７８】
（iv）第４の運転状態
第４の運転状態は、中央熱源設備１０１の蓄熱槽１０２に貯留されている熱源水が温水であって、インテリアゾーンとペリメータゾーンの両方を同一温度の給気で暖房する場合である。
【００７９】
第４の運転状態の時には、３つのダンパ２０，２１，２２の開閉状態は図３に示すようになり、また、冷媒流路切替弁３１は図３に示すように暖房モードであり、さらに、第１熱交換器１４と第２熱交換器１５と第４熱交換器３２には熱源水として温水が供給される。
【００８０】
部屋２００の室内空気は、還気として還気取入口２から吸い込まれ、その際にフィルタ１１で浄化されて還気通路７内に導入される。一方、外気は、外気取入口３から吸い込まれ、その際にフィルタ１３で浄化されて外気通路８に導入される。外気通路８に導入された外気は、第２熱交換器１５を通過する際に第２熱交換器１５のコイルを流れる温水によって加温される。尚、流量制御弁２６は外気負荷の大きさに応じて開度制御され、第２熱交換器１５に供給する温水流量を制御する。
【００８１】
外気負荷が小さい場合には、第２熱交換器１５による加温だけで十分であるので、その場合には第３熱交換器１９を停止する。
外気負荷が大きくて第２熱交換器１５による加温だけでは足りない場合には、第３熱交換器１９を稼働する。圧縮機３０から第３熱交換器１９に供給された冷媒は、凝縮器として機能する第３熱交換器１９において冷却されて液化し、その際に外気を加温する。第３熱交換器１９において液化した冷媒は、蒸発器として機能する第４熱交換器３２において熱源水としての温水により加熱されて気化し、その際に温水を冷却する。
【００８２】
したがって、第４の運転状態において第３熱交換器１９を稼働する場合には、第２熱交換器１５の機能は外気を予熱することにあるということができる。尚、流量制御弁２８は外気負荷の大きさに応じて開度制御され、第４熱交換器３２に供給する温水流量を制御する。
【００８３】
外気負荷を処理された外気は、開口６ａを介して還気通路７内に流入し還気と合流する。外気と還気の混合空気は第１熱交換器１４を通過してペリメータ送風路１０に導入される。そして、前記混合空気は、第１熱交換器１４を通過する際に第１熱交換器１４のコイルを流れる温水によって設定温度に加温される。尚、流量制御弁２５は負荷の大きさに応じて開度制御され、第１熱交換器１４に供給する温水流量を制御する。
【００８４】
設定温度に調節された混合空気の一部は、ペリメータ送風路１０を通ってペリメータ側吹出口５からペリメータ送風ダクト１４０に吹き出され、ペリメータ吹出口１４１から部屋２００のペリメータゾーンに給気されて、ペリメータゾーンを暖房する。設定温度に調節された残りの混合空気は、ペリメータ送風路１０から開口６ｄを介してインテリア送風路９に流入し、インテリア側吹出口４からインテリア送風ダクト１３０に吹き出され、インテリア吹出口１３１から部屋２００のインテリアゾーンに給気されて、インテリアゾーンを暖房する。つまり、この第４の運転状態では、同一温度に制御された同質の空調空気をインテリアゾーンとペリメータゾーンに給気し、両ゾーンを暖房することになる。尚、インテリアゾーンとペリメータゾーンへの給気量の制御は、インテリア側送風機１７とペリメータ側送風機１８の送風量調節により可能である。
【００８５】
（v）第５の運転状態
第５の運転状態は、中央熱源設備１０１の蓄熱槽１０２に貯留されている熱源水が温水であって、インテリアゾーンとペリメータゾーンの両方を各ゾーン毎に異なる温度の給気で暖房する場合である。
【００８６】
第５の運転状態の時には、３つのダンパ２０，２１，２２の開閉状態は図４に示すようになり、また、冷媒流路切替弁３１は図４に示すように暖房モードであり、さらに、第１熱交換器１４と第２熱交換器１５と第４熱交換器３２には熱源水として温水が供給される。
【００８７】
部屋２００の室内空気は、還気として還気取入口２から吸い込まれ、その際にフィルタ１１で浄化されて還気通路７内に導入される。一方、外気は、外気取入口３から吸い込まれ、その際にフィルタ１３で浄化されて外気通路８に導入される。外気通路８に導入された外気は、第２熱交換器１５を通過する際に第２熱交換器１５のコイルを流れる温水によって加温される。尚、流量制御弁２６は外気負荷の大きさに応じて開度制御され、第２熱交換器１５に供給する温水流量を制御する。
【００８８】
外気負荷が小さい場合には、第２熱交換器１５による加温だけで十分であるので、その場合には第３熱交換器１９を停止する。
外気負荷が大きくて第２熱交換器１５による加温だけでは足りない場合には、第３熱交換器１９を稼働する。圧縮機３０から第３熱交換器１９に供給された冷媒は、凝縮器として機能する第３熱交換器１９において冷却されて液化し、その際に外気を加温する。第３熱交換器１９において液化した冷媒は、蒸発器として機能する第４熱交換器３２において熱源水としての温水により加熱されて気化し、その際に温水を冷却する。
【００８９】
したがって、第５の運転状態において第３熱交換器１９を稼働する場合には、第２熱交換器１５の機能は外気を予熱することにあるということができる。換言すれば、熱交換器１５は外気負荷の処理の一部を担って冷外気を調温し、残部を第３熱交換器１９に担わせるということができる。尚、流量制御弁２８は外気負荷の大きさに応じて開度制御され、第４熱交換器３２に供給する温水流量を制御する。
【００９０】
第２熱交換器１５及び第３熱交換器１９によって加温された外気は開口６ｂを介してインテリア送風路９に導入される。また、還気通路７内の還気の一部は開口６ｃを通ってインテリア送風路９に流入し、前述の如く加温された外気と合流し混合される。そして、この混合空気は、インテリア側吹出口４からインテリア送風ダクト１３０に吹き出され、インテリア吹出口１３１から部屋２００のインテリアゾーンに給気されて、インテリアゾーンを暖房する。インテリアゾーンに給気される混合空気の温度は、第２熱交換器１５及び第３熱交換器１９による外気に対する加温の程度と、還気の温度と、外気と還気の混合比によって決定され、混合比の制御は、２つの送風機１７，１８の送風量調節によって実行される。尚、還気を外気に混合する理由は、インテリアゾーンの循環空気量を維持するためである。
【００９１】
そして、還気通路７内の残りの還気は、第１熱交換器１４を通過してペリメータ送風路１０に導入される。そして、還気は、第１熱交換器１４を通過する際に第１熱交換器１４のコイルを流れる温水によって設定温度に加温される。尚、流量制御弁２５は負荷の大きさに応じて開度制御され、第１熱交換器１４に供給する温水流量を制御する。
【００９２】
設定温度に加温された還気は、ペリメータ送風路１０を通ってペリメータ側吹出口５からペリメータ送風ダクト１４０に吹き出され、ペリメータ吹出口１４１から部屋２００のペリメータゾーンに給気されて、ペリメータゾーンを暖房する。
【００９３】
このように第５の運転状態にすると、部屋２００のペリメータゾーンとインテリアゾーンをゾーン毎に異なる温度の給気で暖房することができる。
【００９４】
（vi）第６の運転状態
第６の運転状態は、中央熱源設備１０１の蓄熱槽１０２に貯留されている熱源水が冷水であって、インテリアゾーンとペリメータゾーンの両方を同一温度の給気で暖房する場合であり、例えば中央熱源設備１０１を冬季運転から夏季運転に切り替えて未だ日が浅く、陽気が肌寒い日などに行われる運転状態であり、運転日数としては１年を通して少ないと予想される。
【００９５】
第６の運転状態の時には、３つのダンパ２０，２１，２２の開閉状態は図３に示すようになり、また、冷媒流路切替弁３１は図３に示すように暖房モードであり、さらに、第１熱交換器１４と第２熱交換器１５には熱源水が供給されず、第４熱交換器３２には熱源水として冷水が供給され、第３熱交換器１９は常時稼働される。
【００９６】
部屋２００の室内空気は、還気として還気取入口２から吸い込まれ、その際にフィルタ１１で浄化されて還気通路７内に導入される。一方、外気は、外気取入口３から吸い込まれ、その際にフィルタ１３で浄化されて外気通路８に導入される。外気通路８に導入された外気は、第２熱交換器１５を通過するが、第２熱交換器１５には熱源水が供給されていないので、外気は熱交換することなく素通りする。
【００９７】
第２熱交換器１５を素通りした外気は第３熱交換器１９を通過し、その際に第３熱交換器１９を流れる冷媒と熱交換して加温される。つまり、圧縮機３０から第３熱交換器１９に供給された冷媒は、凝縮器として機能する第３熱交換器１９において冷却されて液化し、その際に外気を加温する。第３熱交換器１９において液化した冷媒は、蒸発器として機能する第４熱交換器３２において熱源水としての冷水により加熱されて気化し、その際に冷水を冷却する。尚、流量制御弁２８は外気負荷の大きさに応じて開度制御され、第４熱交換器３２に供給する冷水流量を制御する。
【００９８】
外気負荷を処理された外気は、開口６ａを介して還気通路７内に流入し還気と合流する。外気と還気の混合空気は第１熱交換器１４を通過してペリメータ送風路１０に導入される。そして、前記混合空気は、第１熱交換器１４を通過するが、第１熱交換器１４には熱源水が供給されていないので、混合空気は熱交換することなく素通りする。
【００９９】
そして、混合空気の一部は、ペリメータ送風路１０を通ってペリメータ側吹出口５からペリメータ送風ダクト１４０に吹き出され、ペリメータ吹出口１４１から部屋２００のペリメータゾーンに給気されて、ペリメータゾーンを暖房する。残りの混合空気は、ペリメータ送風路１０から開口６ｄを介してインテリア送風路９に流入し、インテリア側吹出口４からインテリア送風ダクト１３０に吹き出され、インテリア吹出口１３１から部屋２００のインテリアゾーンに給気されて、インテリアゾーンを暖房する。
【０１００】
つまり、この第６の運転状態では、同一温度に制御された同質の空調空気をインテリアゾーンとペリメータゾーンに給気し、両ゾーンを暖房することになる。尚、インテリアゾーンとペリメータゾーンへの給気量の制御は、インテリア側送風機１７とペリメータ側送風機１８の送風量調節により可能である。
【０１０１】
（vii）第７の運転状態
第７の運転状態は、中央熱源設備１０１の蓄熱槽１０２に貯留されている熱源水が冷水であって、インテリアゾーンについては暖房を行い、ペリメータゾーンについては冷房を行う場合であり、インテリジェントビルの場合には、１年を通しても希な運転状態であろうと考えられる。
【０１０２】
第７の運転状態の時には、３つのダンパ２０，２１，２２の開閉状態は図４に示すようになり、また、冷媒流路切替弁３１は図４に示すように暖房モードであり、さらに、第１熱交換器１４と第４熱交換器３２には熱源水として冷水が供給され、第２熱交換器１５には熱源水が供給されず、第３熱交換器１９は常時稼働される。
【０１０３】
部屋２００の室内空気は、還気として還気取入口２から吸い込まれ、その際にフィルタ１１で浄化されて還気通路７内に導入される。一方、外気は、外気取入口３から吸い込まれ、その際にフィルタ１３で浄化されて外気通路８に導入される。外気通路８に導入された外気は、第２熱交換器１５を通過するが、第２熱交換器１５には熱源水が供給されていないので、外気は熱交換することなく素通りする。
【０１０４】
第２熱交換器１５を素通りした外気は第３熱交換器１９を通過し、その際に、第３熱交換器１９を流れる冷媒と熱交換して加温される。つまり、圧縮機３０から第３熱交換器１９に供給された冷媒は、凝縮器として機能する第３熱交換器１９において冷却されて液化し、その際に外気を加温する。第３熱交換器１９において液化した冷媒は、膨張弁３３の作用と相俟って、蒸発器として機能する第４熱交換器３２において熱源水としての冷水により加熱されて気化し、その際に冷水を冷却する。尚、流量制御弁２８は外気負荷の大きさに応じて開度制御され、第４熱交換器３２に供給する冷水流量を制御する。
【０１０５】
第３熱交換器１９によって加温された外気は開口６ｂを介してインテリア送風路９に導入される。また、還気通路７内の還気の一部は開口６ｃを通ってインテリア送風路９に流入し、前述の如く加温された外気と合流し混合される。そして、この混合空気は、インテリア側吹出口４からインテリア送風ダクト１３０に吹き出され、インテリア吹出口１３１から部屋２００のインテリアゾーンに給気されて、インテリアゾーンを暖房する。インテリアゾーンに給気される混合空気の温度は、第３熱交換器１９による外気に対する加温の程度と、還気の温度と、外気と還気の混合比によって決定され、混合比の制御は、２つの送風機１７，１８の送風量調節によって実行される。尚、還気を外気に混合する理由は、インテリアゾーンの循環空気量を維持するためである。
【０１０６】
そして、還気通路７内の残りの還気は、第１熱交換器１４を通過してペリメータ送風路１０に導入される。そして、還気は、第１熱交換器１４を通過する際に第１熱交換器１４のコイルを流れる冷水によって設定温度に冷却される。尚、流量制御弁２５は負荷の大きさに応じて開度制御され、第１熱交換器１４に供給する冷水流量を制御する。
【０１０７】
設定温度に冷却された還気は、ペリメータ送風路１０を通ってペリメータ側吹出口５からペリメータ送風ダクト１４０に吹き出され、ペリメータ吹出口１４１から部屋２００のペリメータゾーンに給気されて、ペリメータゾーンを冷房する。
【０１０８】
このように第７の運転状態にすると、部屋２００のペリメータゾーンを冷房し、インテリアゾーンを暖房するという、ゾーン毎の冷暖房が可能になる。
尚、上述実施の形態では、熱源水は中央熱源設備１０１の蓄熱槽１０２から空調機１００に供給されているが、ヒートポンプ等の熱源装置から直接に熱源水を空調機１００に供給するようにしてもよいことは勿論である。
【０１０９】
【発明の効果】
以上説明したように、本発明に係る空調機によれば、外気と還気を混合する前に、外気だけを空気・熱媒熱交換器によって温度調節することができる。また、開閉手段の開閉状態を適宜に設定することにより外気冷房を行うこともでき、省エネルギー、低ランニングコストを達成することができる。
【０１１０】
また、本発明に係る空調機によれば、開閉手段の開閉状態を適宜に設定することにより、ペリメータゾーンとインテリアゾーンの両ゾーンを同時に暖房したり、両ゾーンを同時に冷房したり、一方のゾーンについては冷房を行い他方のゾーンについては暖房を行ったり、両ゾーンを同一温度の給気で冷房あるいは暖房したり、ゾーン毎に異なる温度の給気を行って冷房あるいは暖房したりすることができ、種々の空調要求に応じた運転状態を実施することができる。
【０１１１】
本発明に係る空調機では、配管系統としては熱源水の往管と還管の２管式で済み、設備コストを安くすることができる。
また、前記空気・熱媒熱交換器の上流に位置する前記外気通路内に、外気と熱源水の間で熱交換する第２の空気・水熱交換器を設置した場合には、外気を段階的に処理することができるとともに、空気・熱媒熱交換器の容量を小さくすることができる。さらに、外気負荷の大きさに応じて、空気・熱媒熱交換器と第２の空気・水熱交換器のいずれか一方の稼働を停止して処理することができるので、ランニングコストの低減と省エネルギーを図ることができる。
【０１１２】
また、還気通路と前記インテリア送風路とを連通遮断する還気・インテリア開閉手段を備えた場合には、インテリアゾーンへの循環空気量を確保することができる。
【図面の簡単な説明】
【図１】  本発明に係る空調機の一実施の形態において、第１の運転状態と第２の運転状態を示す平面図である。
【図２】  前記空調機において、第３の運転状態を示す平面図である。
【図３】  前記空調機において、第４の運転状態、第６の運転状態を示す平面図である。
【図４】  前記空調機において、第５の運転状態、第７の運転状態を示す平面図である。
【図５】  前記空調機を用いた空調システムの一実施の形態において、熱源水の流路を示す平面図である。
【図６】  前記空調機を用いた空調システムの一実施の形態において、空気の流路を示す平面図である。
【図７】  前記空調機の運転状態を示す表である。
【符号の説明】
１  ケーシング
２  還気取入口
３  外気取入口
４  インテリア側吹出口
５  ペリメータ側吹出口
７  還気通路
８  外気通路
９  インテリア送風路
１０  ペリメータ送風路
１４  第１熱交換器（第１の空気・水熱交換器）
１５  第２熱交換器（第２の空気・水熱交換器）
１７  インテリア側送風機（インテリア側送風手段）
１８  ペリメータ側送風機（ペリメータ側送風手段）
１９  第３熱交換器（空気・熱媒熱交換器）
２０  第１ダンパ（外気・インテリア開閉手段、還気・外気開閉手段）
２１  第２ダンパ（還気・インテリア開閉手段）
２２  第３ダンパ（インテリア・ペリメータ開閉手段）
３０  圧縮機
３１  冷媒流路切替弁（熱媒流路切替手段）
３２  水・熱媒熱交換器
３５  冷媒回路（熱媒回路）
１００  空調機
１０１  中央熱源設備
１０２  蓄熱槽
【図１】
0004293646.tif 000002
【図２】
0004293646.tif 000003
【図３】
0004293646.tif 000004
【図４】
0004293646.tif 000005
【図５】
0004293646.tif 000006
【図６】
0004293646.tif 000007
【図７】
0004293646.tif 000008